(57)【要約】【課題】大型化・重量化されることなく、耐衝撃特性や耐振動性及び放熱特性を向上させた蓄電デバイスモジュールや蓄電デバイスホルダー等を提供することを目的とする【解決手段】蓄電デバイスの周囲を保持するように構成された複数の蓄電デバイス収納部を備える蓄電デバイスホルダーであって、蓄電デバイス収納部は、収納される蓄電デバイスを対向する第一方向から押圧挟持する一対の押圧片を備え、蓄電デバイス収納部に隣接する蓄電デバイス収納部は、収納される蓄電デバイスを対向する第二方向から押圧挟持する一対の押圧片を備え、第一方向と第二方向とは異なる方向であり、好ましくは直交関係を有する蓄電デバイスホルダーとする。【選択図】図１
2019186451.tif 000002
【特許請求の範囲】
【請求項１】
蓄電デバイスの周囲を保持するように構成された複数の蓄電デバイス収納部を備える蓄電デバイスホルダーであって、
前記蓄電デバイス収納部は、収納される蓄電デバイスを対向する第一方向から押圧挟持する一対の押圧片を備え、
前記蓄電デバイス収納部に隣接する蓄電デバイス収納部は、収納される蓄電デバイスを対向する第二方向から押圧挟持する一対の押圧片を備え、
前記第一方向と前記第二方向とは異なる方向である
ことを特徴とする蓄電デバイスホルダー。
【請求項２】
請求項１に記載の蓄電デバイスホルダーにおいて、
前記異なる方向とは、直交関係である
ことを特徴とする蓄電デバイスホルダー。
【請求項３】
請求項１または請求項２に記載の蓄電デバイスホルダーにおいて、
前記一対の押圧片は、その断面が矩形状を呈する
ことを特徴とする蓄電デバイスホルダー。
【請求項４】
請求項１乃至請求項３のいずれか一項に記載の蓄電デバイスホルダーにおいて、
前記蓄電デバイス収納部は、断面形状が略八角形の形状である
ことを特徴とする蓄電デバイスホルダー。
【請求項５】
請求項１乃至請求項４のいずれか一項に記載の蓄電デバイスホルダーにおいて、
前記蓄電デバイス収納部に収納される蓄電デバイスが、前記蓄電デバイスホルダーの前記一対の押圧片と、前記蓄電デバイス収納部に収納される蓄電デバイスの周囲を保持するように構成された対向する一対の突起部と、で当接し支持される
ことを特徴とする蓄電デバイスホルダー。
【請求項６】
請求項１乃至請求項５のいずれか一項に記載の蓄電デバイスホルダーにおいて、
前記蓄電デバイスを押圧挟持する前記一対の押圧片は、前記蓄電デバイスのリード端子側から頭頂部側方向に延伸された板バネ形状を有する
ことを特徴とする蓄電デバイスホルダー。
【請求項７】
請求項６に記載の蓄電デバイスホルダーにおいて、
前記蓄電デバイスを押圧挟持する前記一対の押圧片は、前記蓄電デバイスとの当接箇所において、その厚さが増大された当接部を備える
ことを特徴とする蓄電デバイスホルダー。
【請求項８】
請求項１乃至請求項７のいずれか一項に記載の蓄電デバイスホルダーと、
前記蓄電デバイス収納部に収納された蓄電デバイスと、を備える
ことを特徴とする蓄電デバイスモジュール。
【請求項９】
請求項８に記載の蓄電デバイスモジュールにおいて、
前記蓄電デバイス収納部に収納された前記蓄電デバイスは、前記一対の押圧片とは当接し、前記一対の押圧片と直交方向においては前記蓄電デバイス収納部の内壁と当接しない
ことを特徴とする蓄電デバイスモジュール。
【請求項１０】
蓄電デバイスの周囲を保持するように構成された複数の蓄電デバイス収納部を備える蓄電デバイスモジュールの製造方法であって、
前記蓄電デバイス収納部に、収納される蓄電デバイスを対向する第一方向から押圧挟持する一対の押圧片、並びに、前記蓄電デバイス収納部に隣接する蓄電デバイス収納部に、収納される蓄電デバイスを対向する第二方向から押圧挟持する一対の押圧片、を前記第一方向と前記第二方向とは異なる方向で形成する工程と、
前記蓄電デバイス収納部に蓄電デバイスを収納する工程を有する
ことを特徴とする蓄電デバイスモジュールの製造方法。
【発明の詳細な説明】
【技術分野】
【０００１】
本発明は、耐衝撃特性や耐振動性及び放熱特性を向上させた蓄電デバイスモジュールや蓄電デバイスホルダー等に関する。
【背景技術】
【０００２】
車載用途等に広く用いられている複数のコンデンサを配線基板上に実装して構成されるコンデンサモジュールに関する技術として、従来のコンデンサモジュールは、配線基板に設けた実装用の孔にコンデンサの一対のリード線を嵌め込んだ後、裏面側で半田付けすることにより配線基板に設けられた配線回路と電気的な接続を行い、複数のコンデンサを一枚の配線基板上に実装する構成が知られている。
【０００３】
そして、このような従来のコンデンサモジュールでは、実装される複数のコンデンサを保護しまた安定的に固定するために、各コンデンサを収納する筒状の収納部を複数有するホルダーを用いることが知られている。しかし、コンデンサホルダーは、収納される個々のコンデンサを個別に固定する機能と、ホルダーモジュール全体として形状保持して固定化する機能とを有しているところ、両者を十分に満足するには大型化・重量化する傾向があり、小型・軽量化を企図すれば耐振動性等が低下する傾向にある問題があることが知られている。
【０００４】
このような問題を解決する手段の一案として、下記特許文献１には、配線基板に重量的な負荷が加わることがなく、防爆弁が作動してもショート不良を発生することがない信頼性の高いコンデンサモジュールを提供することを目的とする発明が記載されている。この文献では、ホルダー機能を有する保持部材５により複数のコンデンサを固定・保持して、全体的な耐衝撃性や耐振動性を向上させることが開示されている。さらに、保持部材５の各コンデンサが収納される各孔６には、それぞれリブ７やスリット８が設けられて、この爪状の押圧片により各コンデンサを押圧・保持することが記載されている。
【０００５】
この文献によれば、複数の凹部が上面に設けられた取り付け板と、この取り付け板の凹部内に少なくとも一部が保持された複数のコンデンサと、このコンデンサから引き出されたリード線を夫々電気的に接続した配線基板からなり、上記取り付け板と配線基板がコンデンサを介して相反する方向に配設され、取り付け板を介して被使用機器に取り付けるようにした構成のものであり、これにより、複数のコンデンサの重量は全て取り付け板で支えるようになるために配線基板には一切重量的な負荷がかからないようになって配線基板の破壊が発生しなくなり、信頼性の高いコンデンサモジュールを提供することができるという作用効果を有するものとされる。
【先行技術文献】
【特許文献】
【０００６】
【特許文献１】特開２００３−２８２３６１号公報
【発明の概要】
【発明が解決しようとする課題】
【０００７】
車載用途等に用いられる蓄電デバイスモジュールは、高い耐振動性が求められる。従来技術のように、複数の蓄電デバイスを複数の収納筒部を設けたホルダーで蓄電デバイスの胴部を単に四側面から押圧挟持して保持する蓄電デバイスモジュールでは、強い振動や衝撃を受けた場合に、一個の蓄電デバイスの振動が隣接する蓄電デバイスに伝動されるという不具合が生じることが懸念される。また、仮に該収納筒部に押圧片を設けた構造とすれば、大型化・重量化されることが懸念されるところである。さらに、モジュールの高密度実装化に伴い、ホルダーによる蓄電デバイス固定と、各蓄電デバイスで発生する熱を如何に効果的に放熱させるかと、の両立についてもさらなる改良が求められていた。すなわち従来、ホルダーで各蓄電デバイスを強固にかつ高密度に固定すればするほど、個々の蓄電デバイスからの放熱効率が低下する傾向にあった。
【０００８】
本発明は上述の問題点に鑑み為されたものであり、大型化・重量化されることなく、耐衝撃特性や耐振動性及び放熱特性を向上させた蓄電デバイスモジュールや蓄電デバイスホルダー等を提供することを目的とする。
【課題を解決するための手段】
【０００９】
本発明の蓄電デバイスホルダーは、蓄電デバイスの周囲を保持するように構成された複数の蓄電デバイス収納部を備える蓄電デバイスホルダーであって、蓄電デバイス収納部は、収納される蓄電デバイスを対向する第一方向から押圧挟持する一対の押圧片を備え、蓄電デバイス収納部に隣接する蓄電デバイス収納部は、収納される蓄電デバイスを対向する第二方向から押圧挟持する一対の押圧片を備え、第一方向と第二方向とは異なる方向であり、好ましくは直交関係を有することを特徴とする。
【００１０】
また、本発明の蓄電デバイスホルダーは、好ましくは一対の押圧片の断面が矩形状を呈し、さらに好ましくは蓄電デバイス収納部の断面形状が略八角形の形状であることを特徴とする。
【発明の効果】
【００１１】
大型化・重量化されることなく、耐衝撃特性や耐振動性及び放熱特性を向上させた蓄電デバイスモジュールや蓄電デバイスホルダー等を提供することができ、また、小型化及び軽量化に寄与する蓄電デバイスホルダーを実現することできる。
【図面の簡単な説明】
【００１２】
【図１】本実施形態の蓄電デバイスホルダーの構成概要を説明する斜視図である。
【図２】本実施形態の蓄電デバイスホルダーの構成概要を説明する斜視図である。
【図３】本実施形態の蓄電デバイスホルダーを上側から観察した状態の概要を説明する平面概念図である。
【図４】本実施形態の蓄電デバイスホルダーを底面側から観察した状態を説明する図である。
【図５】蓄電デバイスを蓄電デバイスホルダーの蓄電デバイス収納部に収納した状態で構成された蓄電デバイスモジュールを斜め方向から観察して説明する図であり、（ａ）が斜め上方から（ｂ）が斜め下方から観察したものである。
【図６】（ａ）は蓄電デバイスが蓄電デバイスホルダーの蓄電デバイス収納部に収納配置された蓄電デバイスモジュールの一部分を頭頂部側から観察した状態概要を説明する平面図であり、（ｂ）は押圧片がその当接部で蓄電デバイスを押圧挟持する状態を側面視において説明する概要図であり、（ｃ）は蓄電デバイスが上方へとスムースに収納されるようにガイドすることができるガイド突起を説明する側面図である。
【図７】蓄電デバイスホルダーの押圧片が蓄電デバイスから受ける押圧力の方向（すなわち押圧片が蓄電デバイスへ加える押圧挟持力作用の反作用）を説明する図である。
【発明を実施するための形態】
【００１３】
本実施形態で説明する蓄電デバイスホルダーは、複数の蓄電デバイスをそれぞれ個々に収納する蓄電デバイス収納部を縦横方向に整列して備えており、蓄電デバイス収納部は収納される蓄電デバイスを押圧挟持するように対向して設けられる一対の押圧片を備える。そして、隣接する蓄電デバイス収納部間では、互いに押圧挟持する方向が９０°ずれるように配向される。
【００１４】
すなわち、ある蓄電デバイス収納部において縦方向に蓄電デバイスを押圧挟持するように縦方向に対向して一対の押圧片が設けられているとすれば、これに隣接する蓄電デバイス収納部においては横方向に蓄電デバイスを押圧挟持するように９０°ずれた横方向に対向して一対の押圧片が設けられる。
【００１５】
このように隣接する蓄電デバイス収納部間においては、お互いに９０°配向された異なる方向で押圧挟持することにより、隣接する蓄電デバイス間で振動が伝導されにくいものとなり耐振動性や耐衝撃性が向上する。また、隣接する蓄電デバイス間で同一方向に押圧挟持する構成と比較して、押圧片の配置スペースとそのクリアランスのスペースとを１／２に低減することが可能となるので、小型化・省スペース化と耐衝撃性等の特性とを高いレベルで両立できるものとなる。
【００１６】
また、押圧片は板状を呈するものとしてその断面が矩形状となるようにすることで、押圧片の反りが容易となって、板バネの機能を発揮して蓄電デバイスに対する適度な付勢とすることができる。例えば、円筒形の蓄電デバイスの周囲に沿うような湾曲形状の断面を有する押圧片であるとすれば、その断面の円弧の外側に向かう方向の応力に対しては容易には反ることができないものとなり、蓄電デバイスに対する板バネ付勢としては柔軟性に欠けることが懸念される。短軸方向で湾曲された板バネは長軸方向の反りが制約を受けることは詳述するまでもないと思われる。
【００１７】
断面形状が矩形状の板状の押圧片とすることにより、その長さ及び素材を適宜調整することにより、蓄電デバイスに対する押圧力の調整が容易に行えるものとなる。また、蓄電デバイスのサイズに多少の誤差があっても蓄電デバイスを押圧することができる。また、例えば断面形状が円弧状の押圧片と比較し、断面形状が矩形状の押圧片は反り易い形状であるため、押圧保持可能な対応範囲が大きいので、蓄電デバイスの径に多少の誤差が仮に生じていたとしても、安定的に蓄電デバイスを押圧挟持して固定保持することができる。蓄電デバイス収納部の断面形状を八角形とすることにより、一対の押圧片による押圧方向と直交する方向を除いた計六箇所で蓄電デバイスに接触して保持することができるものとなるだけではなく、ホルダー自身の形状保持強度も大きくなるので好ましい。また、これによりリブや押圧片を形成し易いものとなる。
【００１８】
そこで、以下図面に基づいてさらに詳細に説明する。図１及び図２は、本実施形態の蓄電デバイスホルダー１０００の構成概要を説明する斜視図である。図１及び図２に示すように、蓄電デバイスホルダー１０００は、不図示の複数の蓄電デバイスの略中央部胴体部位を包むように保持するものであり、このため任意複数の蓄電デバイス収納部１１００（１），１１００（２），１１００（３），１１００（４），１１００（５），・・・，１１００（１６）（適宜蓄電デバイス収納部１１００と総称する、以下同様）を備える。図１及び図２では、４行４列で計１６個の蓄電デバイス収納部１１００を備える典型例を示している。
【００１９】
そして、蓄電デバイス収納部１１００（１）は、対向する一対の押圧片１２００（１ａ），１２００（１ｂ）を備えており、この押圧片１２００（１ａ），１２００（１ｂ）で不図示の蓄電デバイスを押圧挟持して固定保持する。同様に、蓄電デバイス収納部１１００（２）は、対向する一対の押圧片１２００（２ａ），１２００（２ｂ）を備えており、この押圧片１２００（２ａ），１２００（２ｂ）で不図示の蓄電デバイスを押圧挟持して固定保持する。同様に、蓄電デバイス収納部１１００（１６）は、対向する一対の押圧片１２００（１６ａ），１２００（１６ｂ）を備えており、この押圧片１２００（１６ａ），１２００（１６ｂ）で不図示の蓄電デバイスを押圧挟持して固定保持する。
【００２０】
ここで、蓄電デバイス収納部１１００（１）の押圧片１２００（１ａ），１２００（１ｂ）により挟持される押圧方向と、これに隣接する蓄電デバイス収納部１１００（２）の押圧片１２００（２ａ），１２００（２ｂ）により挟持される押圧方向と、は互いに９０°配向されて直交する方向に構成されている。同様に、蓄電デバイス収納部１１００（１）に隣接する蓄電デバイス収納部１１００（５）の押圧挟持方向についても、蓄電デバイス収納部１１００（１）の押圧挟持方向と直交するものとなる。
【００２１】
これにより、各蓄電デバイス収納部１１００に収納される各蓄電デバイスは直交するいずれか一方向のみで押圧挟持されるものとなるので、押圧挟持されない他の方向については押圧片やそのクリアランスを設ける必要がなく、全体として省スペースかつ小型化にできるものとなる。ここで、上記互いに９０°配向されて直交する押圧方向については、典型例としての直交ではなくても良く、互いに異なる任意の配向方向であればよいものとする。
【００２２】
また、図１及び図２に示すように、蓄電デバイス収納部１１００が配置される隙間には上面が開口された四角形の間隙部１３００が構成されている。また、間隙部１３００を構成する四つの壁の外面、すなわち蓄電デバイスが配置される各面１３１０には、蓄電デバイスの導入をスムースにするためのガイド突起１３２０が設けられている。
【００２３】
ガイド突起１３２０は、図６（ｃ）に示すように、下方から上方に向けてテーパがつけられており、この傾斜に沿って下方から蓄電デバイス１４００の頭頂部が上方へと蓄電デバイス収納部１１００内をスムースに収納されるようにガイドすることができる。
【００２４】
また、図２に明示するように、押圧片１２００（１ａ）は、収納される蓄電デバイスと当接する当接部１２００（１ａＡ）を備えていてもよい。押圧片１２００（１ａ）は、板状の形状であってその断面は矩形状であるが、当接部１２００（１ａＡ）の部位は厚さが厚く形成されており、蓄電デバイス１４００を軽く押圧固定するものとできる。図６（ｂ）は、押圧片１２００がその当接部１２００（Ａ）で蓄電デバイス１４００を押圧挟持する状態を側面視において説明する概要図である。
【００２５】
図３は、蓄電デバイスホルダー１０００を上側から観察した状態の概要を説明する平面概念図である。図３から理解できるように、複数の蓄電デバイス収納部１１００はそれぞれ平面視において略八角形をしており、例えば蓄電デバイス収納部１１００（１）においては、紙面上下方向に対向配置された一対の押圧片１２００（１ａ），１２００（１ｂ）と当接部１２００（１ａＡ），１２００（１ｂＡ）で押圧挟持されるとともに、図３紙面の右斜め上から左斜め下方向及び、左斜め上から右斜め下方向、の各方向においてガイド突起１３２０において当接挟持される。すなわち、蓄電デバイス収納部１１００内の蓄電デバイス１４００は計六箇所で蓄電デバイスホルダー１０００と接触保持されるものとなる。図３に示すクロス矢印は、このようなガイド突起１３２０において当接挟持される典型的な方向を説明するものである。
【００２６】
なお、蓄電デバイス１４００は計六箇所で蓄電デバイスホルダー１０００と接触保持されるものに限定されるものではなく、対向配置された一対の押圧片１２００（１ａ），１２００（１ｂ）に加えて、一対の対向するガイド突起１３２０により当接保持されて計四箇所で蓄電デバイスホルダー１０００と接触保持されるものとしてもよい。このように、押圧片１２００に加えて追加的に接触保持されることより、さらに安定的に保持されるものとなる。また、ガイド突起１３２０は、図２、図３、図６（ｃ）に明示して説明する位置、大きさ、形状、材質、構造及び機能のものに限定されるものではなく、蓄電デバイス１４００と当接し保持することが可能な任意の大きさで任意の形状等の突起部とすることができるが、上述のガイド機能を有することがさらに好ましい。
【００２７】
図４は、本実施形態の蓄電デバイスホルダー１０００を底面側から観察した状態を説明する図である。図４に示すように、間隙部１３００の底は、底面を構成してもよいし、回路基板に固定するための種々の嵌合・固定形状を有していてもよい。一例としては、間隙部１３００は上面が開放されて開口部とされた四角柱状の形状を呈することができる。
【００２８】
また、図４等に示すように、複数の押圧片１２００は、蓄電デバイスホルダー１０００を構成するリブや壁の一部をスリット等により分離してこれを押圧片１２００として機能させることもできる。押圧片１２００は、平板状に形成されることにより、比較的容易に撓むことが可能となるので、収納される蓄電デバイス１４００に適切な押圧力を印加することができる。また、当接部１２００（Ａ）の盛り上がり厚さを適宜調整することにより、押圧片１２００の撓み量も調整されて蓄電デバイス１４００に対する押圧力も調整可能である。当接部１２００（Ａ）は押圧片１２００と同一材料で一体的に同時形成してもよい。
【００２９】
図５は、蓄電デバイス１４００を蓄電デバイスホルダー１０００の蓄電デバイス収納部１１００に収納した状態で構成された蓄電デバイスモジュール１５００を斜め方向から観察して説明する図である。図５（ａ）が斜め上方から図５（ｂ）が斜め下方から観察したものである。
【００３０】
図５において、蓄電デバイス１４００のリード端子１４１０は不図示の回路基板等に半田付等により固定され電気的に接続されることができる。また、蓄電デバイス１４００の頭頂部１４２０及び底部付近は蓄電デバイスホルダー１０００から完全に露出されており、胴体中央部のみが蓄電デバイスホルダー１０００により覆われるものとして構成される。
【００３１】
これにより、高さ的に蓄電デバイスホルダー１０００に起因して蓄電デバイス１４００の頭頂部１４２０より高い空間にホルダー関連部品が配置されることがなく、低背化・小型化に寄与できるものとなる。
【００３２】
図６（ａ）は、蓄電デバイス１４００が蓄電デバイスホルダー１０００の蓄電デバイス収納部１１００に収納配置された蓄電デバイスモジュール１５００の一部分を頭頂部１４２０側から観察した状態概要を説明する平面図である。
【００３３】
図６（ａ）においては、蓄電デバイス収納部１１００（１０）に収納された蓄電デバイス１４００（１０）を中心としてその周囲に隣接配置された四つの蓄電デバイス１４００（６），１４００（９），１４００（１１），１４００（１４）との関係について説明している。なお、図６（ａ）においては説明の便宜上、当接部１２００（Ａ）は記載省略している。
【００３４】
図６（ａ）から明らかなように、蓄電デバイス１４００（１０）は、図中ｘ軸方向に配向された断面矩形状の一対の押圧片１２００（１０ａ），１２００（１０ｂ）により、押圧挟持されている。また、その上側に配置される蓄電デバイス１４００（９）は図中ｙ軸方向に配向された断面矩形状の一対の押圧片１２００（９ａ），１２００（９ｂ）により、押圧挟持されている。
【００３５】
また、その下側に配置される蓄電デバイス１４００（１１）は図中ｙ軸方向に配向された断面矩形状の一対の押圧片１２００（１１ａ），１２００（１１ｂ）により、押圧挟持されている。また、その右側に配置される蓄電デバイス１４００（６）は図中ｘ軸方向に配向された断面矩形状の一対の押圧片１２００（６ａ），１２００（６ｂ）により、押圧挟持されている。また、その左側に配置される蓄電デバイス１４００（１４）は図中ｘ軸方向に配向された断面矩形状の一対の押圧片１２００（１４ａ），１２００（１４ｂ）により、押圧挟持されている。
【００３６】
ここで、ｘ軸方向において、蓄電デバイス１４００（１０）を押圧する押圧片１２００（１０ａ）は、隣接する蓄電デバイス１４００（６）とは任意のクリアランスｄを有して離間するように構成される。すなわち、押圧片１２００（１０ａ）は、押圧片１２００（１０ｂ）と対を為して、蓄電デバイス１４００（１０）を押圧挟持するためだけに機能し、隣接する他の蓄電デバイス１４００（６）には何ら作用しない。
【００３７】
同様に、ｙ軸方向において、蓄電デバイス１４００（１１）を押圧する押圧片１２００（１１ａ）は、隣接する蓄電デバイス１４００（１０）とは任意のクリアランスｄを有して離間するように構成される。すなわち、押圧片１２００（１１ａ）は、押圧片１２００（１１ｂ）と対を為して、蓄電デバイス１４００（１１）を押圧挟持するためだけに機能し、隣接する他の蓄電デバイス１４００（１０）には何ら作用しない。このような隣接した蓄電デバイスとの関係は、全ての蓄電デバイス間においても当該関係性を有するものとできる。
【００３８】
このように構成することで、仮に何かの影響により一個の蓄電デバイス１４００（１０）が振動したとしても、当該振動が、隣接する他の蓄電デバイス１４００（９），１４００（６），１４００（１１），１４００（１４）に伝導され影響されることが低減されて、単一の振動のみで集束するものとできる。したがって、全体として耐振動性や耐衝撃性が向上した蓄電デバイスモジュール１５００とできる。
【００３９】
また、仮に、蓄電デバイス１４００（１０）と蓄電デバイス１４００（６）との間に、追加的に押圧片１２００（１０ａ）に対応する押圧片を設けて蓄電デバイス１４００（６）についても蓄電デバイス１４００（１０）と同様にｘ軸方向に押圧挟持する構成とすれば、クリアランスｄと押圧片１２００（１０ａ）の厚さに相当するだけの間隔が、蓄電デバイス１４００（１０）と蓄電デバイス１４００（６）との間に追加的に必要となる。
【００４０】
しかし、本実施形態で説明するように、隣接する蓄電デバイス間では互い違いの互いに相異なる９０°配向された方向で押圧挟持する構成を採用することにより、省スペース・小型化と耐振動性や耐衝撃性の向上とが共に高いレベルで両立できる構造を実現できるものとなる。上述の説明をより理解容易とするために、図７は、蓄電デバイスホルダーの押圧片が蓄電デバイスから受ける押圧力の方向（すなわち押圧片が蓄電デバイスへ加える押圧挟持力作用の反作用）を説明する図である。図７に矢印で示すように、隣接する蓄電デバイス収納部間では互いに相異なる９０°配向された向きに蓄電デバイスと押圧片との間で相互作用する。
【００４１】
本発明の蓄電デバイスモジュールや蓄電デバイスホルダー等は、上述の実施形態で説明した構成や方法に限定されるものではなく、当業者に自明な範囲でかつ本発明の技術思想の範囲内で適宜その構成を変更し、組み合わせ適用することができる。また、蓄電デバイスの典型例としては例えばキャパシタであってもよい。
【産業上の利用可能性】
【００４２】
本発明は、蓄電デバイスを典型例とする複数の電子部品の実装モジュール等に好適である。
【符号の説明】
【００４３】
１０００・・蓄電デバイスホルダー、１１００・・蓄電デバイス収納部、１２００・・押圧片、１３００・・空隙部、１４００・・蓄電デバイス、１５００・・蓄電デバイスモジュール。
【図１】
2019186451.tif 000003
【図２】
2019186451.tif 000004
【図３】
2019186451.tif 000005
【図４】
2019186451.tif 000006
【図５】
2019186451.tif 000007
【図６】
2019186451.tif 000008
【図７】
2019186451.tif 000009